Podtech/llm-jp-corpus-v4-ja_patent huggingface dataset:
(57)【要約】【課題】低温環境下にあっても、初期始動時から速やかにハウジング温度を上昇させることが出来、部品間の温度差を抑制して軸受の負すきま運転を回避することができるギヤボックス用軸受を提供する。【解決手段】外輪と内輪と外輪と内輪間にあって前記外輪と前記内輪とを相対回転可能にさせる複数の転動体と、前記複数の転動体を等間隔に保持する保持器とを備えたギヤボックス用軸受において、前記内輪の軸受軸方向一端に、軸受の半径方向に延びるフィンを一体的に備えている。これにより、軸受周辺との部品間の温度差を抑制して軸受の負すきま運転を回避することができる。【選択図】図１
2016044703.tif 000002
【特許請求の範囲】
【請求項１】
外輪と内輪と外輪と内輪間にあって前記外輪と前記内輪とを相対回転可能にさせる複数の転動体と、前記複数の転動体を等間隔に保持する保持器とを備えたギヤボックス用軸受において、前記内輪の軸受軸方向一端に、軸受の半径方向に延びるフィンを一体的に設けてあることを特徴とするギヤボックス用軸受。
【請求項２】
外輪と内輪と外輪と内輪間にあって前記外輪と前記内輪とを相対回転可能にさせる複数の転動体と、前記複数の転動体を等間隔に保持する保持器とを備えたギヤボックス用軸受において、前記内輪の軸受軸方向一端に隣接して、軸受の半径方向に延びるフィンを設けたことを特徴とするギヤボックス用軸受。
【発明の詳細な説明】
【技術分野】
【０００１】
本発明は、航空機用のギヤボックスに用いる軸受に関するものである。
【背景技術】
【０００２】
従来から、航空機用のギヤボックスには、軽量化が求められていた。軽量化を実現する手段として、例えば特許文献１においては、ハウジングにアルミニウム合金やマグネシウム合金を用いて軽量化を行っている。この手段を航空機用のギヤボックスに転用して軽量化を実現させることが出来る。
【先行技術文献】
【特許文献】
【０００３】
【特許文献１】特開２００８−２１５５８９号公報
【発明の概要】
【発明が解決しようとする課題】
【０００４】
しかしながら、特許文献１の構造を単に航空機用ギヤボックスに採用しただけでは、以下の問題が発生する。すなわち、定格運転時のギヤボックス内の温度は１００度から２００度程度になるが、寒冷地や高空でのギヤボックス周辺温度はマイナス数十℃となっている。そのため、軸受が高温となる定格運転時に適正なラジアルすきま、外輪とハウジングのはめ合いとなるように軸受寸法等を設定すると、低温環境下でのエンジン始動時には軸受とハウジングの熱膨張率差によって、外輪とハウジング間のはめ合いが締まり、軸受内部すきまが減少する。この状態で軸受の回転数を上げた場合、すきまの詰まり（負すきま）により、軸受の焼付き損傷が懸念されていた。そこで、十分な暖気運転を行い、ハウジング温度が上昇した後に軸受回転数を上げれば、負すきによる軸受焼きつきは回避されるが、長時間の暖機運転は運用上の制限となり、大幅な運転コスト増を招く恐れがあった。
【０００５】
本発明は、上述した課題に鑑みてなされたものであり、その目的は、低温環境下にあっても、初期始動時から速やかにハウジング温度を上昇させることが出来、部品間の温度差を抑制して軸受の負すきま運転を回避することで軸受の焼きつきを防止したギヤボックス用軸受を提供することにある。
【課題を解決するための手段】
【０００６】
そこで上記の課題を解決するために、本発明は、外輪と内輪と外輪と内輪間にあって前記外輪と前記内輪とを相対回転可能にさせる複数の転動体と、前記複数の転動体を等間隔に保持する保持器とを備えたギヤボックス用軸受において、前記内輪の軸受軸方向一端に、軸受の半径方向に延びるフィンを一体的に設けてあることを特徴とする。
【０００７】
また、第二の発明は、外輪と内輪と外輪と内輪間にあって前記外輪と前記内輪とを相対回転可能にさせる複数の転動体と、前記複数の転動体を等間隔に保持する保持器とを備えたギヤボックス用軸受において、前記内輪の軸受軸方向一端に隣接して、軸受の半径方向に延びるフィンを設けたことを特徴とする。
【発明の効果】
【０００８】
本発明のギヤボックス用軸受によれば、低温環境下にあっても、暖気を必要とせず、初期始動時から速やかにハウジング温度を上昇させることができるため、部品間の温度差を抑制して軸受の負すきま運転を回避して軸受の焼きつきを防止するとともに運転コスト低減が可能となる。
【図面の簡単な説明】
【０００９】
【図１】本発明の第一の実施形態に係るギヤボックス用軸受の周辺図である。
【図２】本発明の第二の実施形態に係るギヤボックス用軸受の軸受周辺図である。
【図３】本発明の第一の実施形態に係るフィン単体を示す斜視図である。
【発明を実施するための形態】
【００１０】
以下、本発明の第一の実施形態に係る駆動装置について図面を参照しながら説明する。  図１に示すように、航空機に用いるギヤボックス用軸受１は、潤滑剤供給装置Ｔに対向して、ハウジングＨとメインシャフトＳ間に配置されている。
【００１１】
前記軸受１は、一般的な軸受同様、外輪２と、内輪３と、前記外輪と前記内輪間にあって前記外輪と前記内輪とを相対回転可能にさせる複数の転動体４と、前記複数の転動体を等間隔に保持する保持器５とによって構成されている。
【００１２】
また、内輪３の軸方向一端には、軸受の半径方向に延びるフィン３ａが一体的に設けられるとともに、内輪の一端となる前記フィン３ａの基部３ｂがメインシャフトの段部Ｓ１に突き当たることで軸受１が位置決めされている。
【００１３】
ここで、軸受内の転動体４の周辺には、潤滑剤供給装置Ｔより潤滑剤が吐出されて供給される。軸受１の潤滑に供した潤滑剤は、軸受の摩擦等により高温に熱せられて軸受外に排出される。この排出された潤滑剤は、前記フィン３ａによって軸受と比して低温なハウジングＨ等に掛けられ、ハウジングＨ等の暖気が促される。
【００１４】
さらに、本発明の第二の実施形態では、フィン１３ａが内輪と別体構造となっている。フィン１３ａは、内輪３の軸方向一端とメインシャフトＳの段部Ｓ１とに挟持され位置決めされている。その他の構成、効果は第一の実施形態と同様である。
【００１５】
以上、本発明の駆動装置の構造について詳細に説明したが、本発明は、以上の例には限定されず、本発明の要旨を逸脱しない範囲において、各種の改良や変形を行ってもよいのはもちろんである。
【符号の説明】
【００１６】
１…軸受
２…外輪
３…内輪
４…転動体
３ａ…フィン
Ｈ…ハウジング
Ｓ…メインシャフト
Ｔ…潤滑剤供給装置
【図１】
2016044703.tif 000003
【図２】
2016044703.tif 000004
【図３】
2016044703.tif 000005
(57)【要約】【課題】  電磁雑音の発生を抑制する回路基板及びこれを搭載する電子装置を提供することを目的とする。【解決手段】  複数の層からなり、前記複数の層の一部あるいは全部の層間を接続するスルーホールを有し、前記スルーホールと接続された各層の接続端部は、前記スルーホールの中心軸を中心とした円周上において、角度がずらされた位置に設けられていることを特徴とする回路基板及びこれを搭載した電子装置。【選択図】  図１
2016157705.tif 000002
【特許請求の範囲】
【請求項１】
複数の層からなる回路基板であって、
前記複数の層の一部あるいは全部の層間を接続するスルーホールを有し、
前記スルーホールと接続された各層の接続端部は、前記スルーホールの中心軸を中心とした円周上において、角度がずらされた位置に設けられていることを特徴とする回路基板。
【請求項２】
請求項１に記載の回路基板であって、
前記スルーホールと接続された各層の接続端部は、各層における同一平面上において放射状に複数設けられていることを特徴とする回路基板。
【請求項３】
請求項１に記載の回路基板であって、
前記スルーホールと接続された各層の接続端部間のずれ角度は４５度であることを特徴とする回路基板。
【請求項４】
請求項１〜３のいずれか１項に記載の回路基板を搭載したことを特徴とする電子装置。
【発明の詳細な説明】
【技術分野】
【０００１】
本発明は、回路基板及びこれを搭載する電子装置に関する。
【背景技術】
【０００２】
本技術分野の背景技術として、特開２００７−２５０６９７号公報（特許文献１）がある。この公報には、「スルーホールと、基板内のパターンとを部分的に細くした配線で接続するサーマルランドを用いることで、配線基板の組み立て時に熱抵抗の低下を防ぎ均一な半田付けを可能とし、接続信頼性の高い配線基板及び該配線基板を備えた電子機器を実現する」と記載されている。
【先行技術文献】
【特許文献】
【０００３】
【特許文献１】特開２００７−２５０６９７号公報
【発明の概要】
【発明が解決しようとする課題】
【０００４】
前記特許文献１には、回路基板におけるスルーホールの構造が記載されている。しかし、特許文献１のスルーホールは、半田付け時の熱拡散を抑制するため、配線あるいはいわゆるベタパターンへの接続時には、導体の一部を削除し、細い線状パターンで接続するいわゆるサーマルランドの構造をとる。
【０００５】
スルーホールと配線パターンを接続するパターンは、従来各層間で同一方向（基板に対し垂直線上から見て重なる位置関係）としていたため、同一方向を流れる電流が発生する磁束の結合によりインダクタンスを低減することができなかった。
【０００６】
そこで、本発明は、電磁雑音の発生を抑制する回路基板及びこれを搭載する電子装置を提供することを目的とする。
【課題を解決するための手段】
【０００７】
上記課題を解決するために、例えば特許請求の範囲に記載の構成を採用する。
一例を挙げるならば、複数の層からなる回路基板であって、前記複数の層の一部あるいは全部の層間を接続するスルーホールを有し、前記スルーホールと接続された各層の接続端部は、前記スルーホールの中心軸を中心とした円周上において、角度がずらされた位置に設けられていることを特徴とする。
【発明の効果】
【０００８】
本発明によれば、電磁雑音の発生を抑制する回路基板及びこれを搭載する電子装置を提供することができる。
【図面の簡単な説明】
【０００９】
【図１】本発明の実施の形態によるスルーホールの構成図の例である。
【図２】本発明の実施の形態によるスルーホールのインダクタンス低減効果を説明する図である。
【図３】本発明の実施の形態によるスルーホールのインダクタンス低減効果を説明する図である。
【図４】従来のスルーホールの代表図である。
【発明を実施するための形態】
【００１０】
以下、実施例について図面を用いて説明する。なお、図面において、同一符号は、同一または相当部分を示す。また、本発明は、図示例に限定されるものではない。
まずはじめに図４を用いて従来のスルーホールの代表的な構造を説明する。第１層の接続パターン１１、１２、１３、１４と、第２層の接続パターン２１、２２、２３、２４は、それぞれ隣接する層間で電磁結合を有するため、並列接続によるインダクタンス低減効果が小さくなり、結果として合成インダクタンスは小さくならないため、低ノイズ化が実現できない。
【実施例１】
【００１１】
図１は、本発明の実施の形態による低ノイズスルーホールの構成図の例である。図１においてスルーホール中心導体１は、第１層の配線パターン１０と接続パターン１１、１２、１３、１４を介して接続されている。また、スルーホール中心導体１は、第２層の配線パターン２０と接続パターン２１、２２、２３、２４を介して接続されて構成される。
【００１２】
図１に示すように、第１層の接続パターンは中心導体１を中心として放射状に９０度ずつずれるようにして設けられている。なお、第２層の接続パターンも第１層と同様の構成を有している。
【００１３】
そして、隣接する第１層および、第２層間の接続パターンは、中心導体１を中心として相対的に角度をずらして設けられている。図１では、一例として４５度ずらした構成としている。このように第１層と第２層とにおけるスルーホール中心導体１との接続パターンについて、各層間で角度をずらすことによって、インダクタンスを低減させることができる。
【００１４】
すなわち、図２に示すとおり、第１層の接続パターン１１、１２、１３、１４のインダクタンスをそれぞれＬ１１、Ｌ１２、Ｌ１３、Ｌ１４とし、第２層の接続パターン２１、２２、２３、２４のインダクタンスをそれぞれＬ２１、Ｌ２２、Ｌ２３、Ｌ２４とするとき、スルーホールの中心導体１から、第１層のパターン１０、第２層のパターン２０への合成インダクタンスは、Ｌ１１、Ｌ１２、Ｌ１３、Ｌ１４およびＬ２１、Ｌ２２、Ｌ２３、Ｌ２４の並列インダクタンスとなる。
【００１５】
図３は、第１層の接続パターン１１、１２、１３、１４と第２層の接続パターン２１、２２、２３、２４の相対的角度θに対する合成インダクタンスの関係を示したグラフである。図３に示すように、スルーホール中心導体１を中心とした第１層の接続パターンと第２層の接続パターンとの平面上の角度ずれがθ＝４５度の時に最も合成インダクタンスが小さい値となり、電磁ノイズを抑制できる。
【００１６】
本実施例では、２層構造の回路基板の構成について説明したが、２層以上の複数層においても本発明の原理を適用可能である。
【００１７】
以上のことから、本発明によれば、電磁雑音の発生を抑制する回路基板及びこれを搭載する電子装置を提供することができる。
【符号の説明】
【００１８】
１      スルーホール中心導体
１０    第1層パターン
１１、１２、１３、１４    第１層スルーホール接続パターン
２０    第２層パターン
２１、２２、２３、２４    第２層スルーホール接続パターン
【図１】
2016157705.tif 000003
【図２】
2016157705.tif 000004
【図３】
2016157705.tif 000005
【図４】
2016157705.tif 000006
(57)【要約】【課題】アコースティックギターの倍音、残響音、音量を豊かにすることを得る。【解決手段】  アコースティックギターボディ内部側面板に柱状の音響調整棒を設けると凹凸が出来、前記ボディ内部側面板の表面積は三角柱で１．４倍以上になることで、音の反射面が広がり音響調整棒の形状、配置、角度による音の拡散と反響で音響効果が高まり倍音、残響音、音量を豊かにする音響装置。【選択図】図１
2016157095.tif 000002
【特許請求の範囲】
【請求項１】
アコースティックギターボディ内部側面板に柱状から選ばれる少なくとも一種の形を有する音響調整棒を取り付けると前記ボディ内部側面板は平らな曲面から凹凸型の曲面に変わり、例えば三角柱の音響調整棒の場合、表面積は１．４倍以上になることで、音の反射面が広がり音響調整棒の形状、配置、角度による音の拡散と反響で倍音、残響音、音量を豊かにする音響装置。
【請求項２】
厚板の表面に切削加工を施しアコースティックギターボディの内部側面の少なくとも一部に貼り付け、凹凸型を付与することを特徴とする、請求項１に記載の音響装置の製造方法。
【発明の詳細な説明】
【技術分野】
【０００１】  本発明はアコースティックギターの音響効果を豊かにする装置を提供する。
【背景技術】
【０００２】  従来のアコースティックギターは音響効果を得る為の装置としては表面板の裏に響棒を配置し、その響きでボディ内部の反響と楽器全体で得ている。
【発明が解決しようとする課題】
【０００３】  従来のアコースティックギターは他の楽器に比べると倍音、残響音、音量が乏しく重奏の時や大きいホールでの演奏はむずかしい所があった。
【課題を解決するための手段】
【０００４】  本発明は、アコースティックギターの音響効果を豊かにする装置としてギターボディ内部側面板に柱状から選ばれる少なくとも一種の形を有する音響調整棒を配置して音の反射面を広げる。
【発明の効果】
【０００５】  音響調整棒を設けると凹凸が出来、ボディ内部側面板の表面積は、例えば三角柱で１．４倍以上になることで、音の反射面が広がり、音響調整棒の形状、配置、角度による音の拡散と反響により倍音、残響音、音量も豊かになる音響効果が得られる。
【図面の簡単な説明】
【０００６】
【図１】  アコースティックギターボディ内部側面板に三角柱音響調整棒を取り付けた斜視図。
【図２】  従来のアコースティックギターボディ内部構造で表面板と側面板を取り付けた斜視図。
【発明を実施するための形態】
【０００７】  図１で示すようにアコースティックギターボディ内部の側面板全体に三角柱音響調整棒を取り付けた状態
【符号の説明】
【０００８】１  音響調整棒
２  ライニング
３  側面板
４  表面板
５  響棒
６  型枠
【図１】
2016157095.tif 000003
【図２】
2016157095.tif 000004
(57)【要約】      （修正有）【課題】過酷な環境で使用されても、故障が少なく確実に粘土混じりの土砂を落下させることができる積載土砂落下装置を提供する。【解決手段】荷台１１０の内法の横巾と略同じ巾の板状体で形成された板部１０と、荷台１１０の先端において上方に立設するプロテクタ１２０の上部に−端が回動自在に接続され板部１０の上面に他端が回動自在に接続された支持部２０とを備え、荷台１１０がダンプアップしたときに、支持部２０に規制される位置まで、板部１０が床板１１１の先端側から後方にスライド移動し、荷台１１０が元に戻ったとき、板部１０の自重により、板部１０が床板１１１の先端側に戻る。積載土砂落下装置１は更に、振れとめバ−３０を備える。振れとめバ−３０は、プロテクタ１２０の上部に−端が回動自在に接続され、板部１０の上面に先端に他端が回動自在に接続された、伸縮自在の振れとめ本体を有する。【選択図】図２
2016064692.tif 000002
【特許請求の範囲】
【請求項１】
土砂を積載する荷台をダンプアップする車輌の荷台に取り付けられる積載土砂落下装置であって、荷台の床板の先端側に載置され、荷台の内法の横巾と略同じ巾の板状体で形成された板部と、荷台の先端において上方に立設するプロテクタの上部に−端が回動自在に接続され板部の上面に他端が回動自在に接続された支持部とを備え、荷台がダンプアップしたときに、支持部に規制される位置まで、板部が床板の先端側から後方にスライド移動し、荷台が元に戻ったとき、板部の自重により、板部が床板の先端側に戻る積載土砂落下装置。
【発明の詳細な説明】
【技術分野】
【０００１】
土砂を積載する荷台をダンプアップする車輌の荷台に取り付けられる積載土砂落下装置に関する。
本発明はダンプカーの荷台に載せた、砂利とか砂は綺麗に滑り落ちるが、粘土混じりの土砂は荷台を上げても床板の先端側に着いた粘土混じりの土砂は滑り落ちない。
【背景技術】
【０００２】
このため処分地で荷台を上げても一回では土砂が荷台の床板の先端側にへばり付き、落ちないのでダンプを移動してから作業員がスコプを持ち荷台に上がり、粘土混じりの土砂を床板からはがし、またダンプカーを移動して、ダンプアップをしていた。
【０００３】
例えば特許文献1には、  ダンプ車に積載した積荷の種類や性質により例えば粘性の高い廃残土等の土砂や油粕や生コンクリと等で荷台に相当強固に付着して荷台をハイダンプ状態にして傾斜せしめても荷台の自動によっては完全には落下しない場合に荷台に設けたバイブレ−タにダンプ車のエ−アブレーキ用やクラッチ用や惑いはエ−アチャンバー用として使用されるエ−アタンクから圧縮空気を供給してバイブレ−タにより荷台を振動せしめることにより荷台に付着した積荷を強制落下せしめることができる装置が提案されている。
【先行技術文献】
【特許文献】
【０００４】
【特許文献１】実用新案登録3024041号公報
【発明の概要】
【発明が解決しようとする課題】
【０００５】
しかしながらダンプカ−は、砂ほこりがまう中や泥水の上等の過酷な環境で走行することが多いこのため、特許文献1の装置のバイブレ−タやエアタンクは故障する場合があった。
【０００６】
本発明は、過酷な環境で使用されても、故障が少なく確実に粘土混じりの土砂を落下させることができる積載土砂落下装置を提供する。
【課題を解決するための手段】
【０００７】
土砂を積載する荷台をダンプアップする車輌の荷台に取り付けられる積載土砂落下装置であって、荷台の床板の先端側に載置され、荷台の内法の横巾と略同じ巾の板状体で形成された板部と、荷台の先端において上方に立設するプロテクタの上部に−端が回動自在に接続され板部の上面に他端が回動自在に接続された支持部とを備え、荷台がダンプアップしたときに、支持部に規制される位置まで、板部が床板の先端側から後方にスライド移動し、荷台が元に戻ったとき、板部の自重により、板部が床板の先端側に戻る積載土砂落下装置。
【発明の効果】
【０００８】
本発明によれば、過酷な環境で使用されても、故障が少なく確実に粘土混じりの土砂を落下させることができる積載土砂落下装置を提供できる。
【図面の簡単な説明】
【０００９】
【図１】本発明の実施形態に係る積載土砂落下装置を側面から視た図である。
【図２】図1に示す状態から、ダンプカ−の荷台がダンプアップした状態における本実施形態に係る積載土砂落下装置を側面から視た図である。
【図３】図1に示す状態から、ダンプカ−の荷台がダンプアップした状態における本実施形態に係る積載土砂落下装置を上面から視た図である。
【００１０】
積載土砂落下装置1は土砂を積載する荷台をダンプアップするダンプカー100の荷台110に取り付けられ荷台110の床板111の先端側に載置され、荷台110の内法の横巾と略同じ巾の板状体で形成された板部10と、荷台110の先端において上方に立設するプロテクタ120の上部に−端が回動自在に接続され板部10の上面に他端が回動自在に接続された支持部10とを備え、荷台110がダンプアップしたときに、支持部20に規制される位置まで、板部20が床板10の先端側から後方にスライド移動し、荷台110が元に戻ったとき、板部10の自重により、板部10が床板111の先端側に戻る。                                      
【００１１】
積載土砂落下装置1は更に、振れとめバ−30を備える。振れとめバ−30は、プロテクタ120の上部に−端が回動自在に接続され、板部10の上面に先端に他端が回動自在に接続された、伸縮自在の振れとめ本体を有する。                                                    
【符号の説明】
【００１２】
1  積載土砂落下装置
10板部
20支持部
30振れ止めバ−
100ダンプカ−
110荷台
111床板  
120プロテクタ    
【図１】
2016064692.tif 000003
【図２】
2016064692.tif 000004
【図３】
2016064692.tif 000005
(57)【要約】【課題】ソーラーパネルの発電効率を上げること。【解決手段】ソーラーパネルを風か流体（例えば水）で冷やすようにした。【選択図】    図３
2016005386.tif 000002
【特許請求の範囲】
【請求項１】
ソーラーパネルを冷却することにより、効率を上げることを特徴とする高効率ソーラーシステム。  
【発明の詳細な説明】
【技術分野】
【０００１】
本発明は発電効率のよい高効率ソーラーシステムに関する。
【背景技術】
【０００２】
わが国では、再生可能エネルギーの利用拡大に対する期待が高まっている。なかでも、太陽光発電（ソーラーシステム）はその中核を担うものとして期待されている。
図１は従来の公知例１を示す図である。この例では、屋根１の上にソーラーパネル２が載っている。３は太陽である。太陽３からの太陽光は、屋根１の上に載置されたソーラーパネル２に注がれる。この結果、ソーラーパネル２は太陽３からの受光量に応じた電気を発生する。発生された電気は、売電されたり、家の中に取り込まれ、照明等を点灯させる。
【０００３】
図２はソーラーパネルを地面に置いた従来の公知例２を示す図である。地面に支持体４をたて、ソーラーパネル２を支えている。太陽光で熱せられて、支持体４とソーラーパネル２との間の空間には空気５が図に示すようにこもり、ソーラーパネル２が熱せられる。
【発明の概要】
【発明が解決しようとする課題】
【０００４】
図１と図２について説明したように、従来のソーラーシステムでは、太陽光によりソーラーパネル２が熱され、その温度が上昇する。この結果、ソーラーパネル２の効率が低下するという問題があった。例えば、室温（２５℃）で１５％の変換効率を示すソーラーパネルでも、屋根の上で加熱して８０℃ぐらいまで上昇すると、変換効率は１０％を切ってしまう。
本発明はこのような課題に鑑みてなされたものであって、太陽の直射日光にさらされても変換効率の低下を防ぐことができる高効率ソーラーシステムを提供することを目的としている。
【課題を解決するための手段】
【０００５】
前記した課題を解決する本発明は、ソーラーパネルを冷却することにより、効率を上げることを特徴としている。
【発明の効果】
【０００６】
本発明によれば、太陽光で熱されても変換効率を上げることができる。
【図面の簡単な説明】
【０００７】
【図１】従来の公知例１を示す図
【図２】従来の公知例２を示す図
【図３】本発明の実施例１を示す図
【図４】本発明の実施例２を示す図
【図５】本発明の実施例３を示す図
【発明を実施するための形態】
【０００８】
以下、図面を参照して本発明の実施例を詳細に説明する。
【実施例１】
【０００９】
図３は本発明の実施例１を示す図である。図１，図２と同一のものは、同一の符号を付して示す。図に示す実施例は、ビル１２の屋上にソーラーパネル２を設けたものである。１０，１１はソーラーパネル２を支持する支持体である。そして、図示しない外部送風装置により風１３を発生し、図の矢印で示す方向に風を送る。この結果、ソーラーパネル２の下部は風１３のために冷却され、ソーラーパネル２の発電効率を向上させることができる。
【実施例２】
【００１０】
図４は本発明の実施例２を示す図である。図３と同一のものは、同一の符号を付して示す。この実施例に係るソーラーシステムは、ビル１３の吹抜部上部１４に設けられている。
【００１１】
この実施例は、支持体１０と１１の支柱の間を風１３が通り抜けるのみならず、
吹抜け構造１４からの上向きの風１５もソーラーパネル２の下部を流れるので、ソーラーパネル２が通常以上に冷やされ、ソーラーパネルが温度上昇することを通常以下に低下することができる。従って、ソーラーパネル２の発電効率を向上させることができる。
【００１２】
図５は本発明の実施例３を示す図である。この実施例は、ソーラーパネルに風を当てなくても、ソーラーパネルが温度上昇することがないようにしたものである。図において、２０は水が溜められる水タンク、２１は該水タンク２０から水を吸入する水管である。水は水管２１を通って水管２２に注入させる。
【００１３】
２２はソーラーパネル２２の下面に沿って配設された水管である。この水管２２は前記水タンク２０に繋がる水管２１と接続されている。このように構成されたシステムにおいて、水管２２には常時水タンク２０から水が流入しているので、ソーラーパネル２は常時水の温度により冷やされる。
この結果、ソーラーパネル２は効率が高まり、最大の電気を発生することができるようになる。この実施例によれば、ソーラーパネル２の発電効率を上げると同時に、水管２２で温水を得ることができるので、発電効率の向上と温水による床暖房やお風呂、洗濯水に使えるなどエネルギー効率を高めることができる。
【産業上の利用可能性】
【００１４】
本発明は民家の屋根に載せてもよいし、地上設置のメガソーラーのような大規模ソーラーシステムにも用いて好適である。もちろん、ビルの屋上にも設置することができる。
【符号の説明】
【００１５】
１    屋根
２    ソーラーパネル
３    太陽
４    ソーラーパネル支持体
５    対流
１０  ソーラーパネル支持体
１１  ソーラーパネル支持体
１２  ビル
１３  風
１４  ビル
１５  風
２０  水タンク
２１  水管
２２  水管
【図１】
2016005386.tif 000003
【図２】
2016005386.tif 000004
【図３】
2016005386.tif 000005
【図４】
2016005386.tif 000006
【図５】
2016005386.tif 000007
(57)【要約】      （修正有）【課題】半導体のオープンを報知し、デジタル化を図る３ダイオードＮＯＴ論理素子組合せ器を提供する。【解決手段】ダイオード１、導通線２、非道通線３、導通線４、非道通線５、導通線６、非導通線７、１端子ＮＯＴ論理素子８、光センサー器９、を設けた。【選択図】図２
2016005266.tif 000002
【特許請求の範囲】
【請求項１】
３ダイオード組み合わせ器に１端子ＮＯＴ論理素子を設けた３ダイオードＮＯＴ論理素子組み合わせ器。  日本国中。
【発明の詳細な説明】
【技術分野】
【０００１】この発明は、３ダイオードに１端子ＮＯＴ論理素子を設けた３ダイオード組み合わせ器である。
【背景技術】
【０００２】従来、ダイオードと１端子ＮＯＴ論理素子回路とは別々になっていた。
【先行技術文献】
【特許文献】
【０００３】
【特許文献１】
【発明の概要】
【発明が解決しようとする課題】
【０００４】これは、次のような欠点があった。従来、半導体のオープンなどは、電子回路などを多く使用していると、どうしても防ぐことができず、知らないうちに故障することが多かった。本発明は、以上のような欠点をなくするためになされたものである。
【課題を解決するための手段】
【０００５】ひし形のかたちをした３ダイオードに１、導通線  ２、非道通線  ３、導通線  ４、非道通線  ５、導通線  ６、非道通線  ７、１端子ＮＯＴ論理素子  ８、光センサー器  ９、１端子ＮＯＴ論理素子を設けた。  本発明は以上の構成よりなる３ダイオードＮＯＴ論理素子組み合わせ器ある。
【発明の効果】
【０００６】３ダイオードに光センサー器で半導体のオープンを知らせ、１端子ＮＯＴ論理素子により初歩的なデジタル化がはかられ、便利であるので使うのになんらさしつかえない。
【図面の簡単な説明】
【０００７】
【図１】本発明の側面図である。
【図２】本発明の平面図である。
【発明を実施するための形態】
【０００８】以下、本発明を実施するための形態について説明する。        ひし形３ダイオード組み合わせに７、の１端子ＮＯＴ論理素子を設け、９、の１端子ＮＯＴ論理素子があり、それに光センサー器を設けた。ＮＯＴ論理素子回路は１のとき０になり、０のとき１になると言うようにわずかなデジタル化がはかれます。光センサー器は周辺の半導体のオープンに反応します。本発明は以上のような構造である。
【符号の説明】
【０００９】１  導通線２  非道通線３  導通線４  非道通線５  導通線６  非道通線７  １端子ＮＯＴ論理素子８  光センサー器９  １端子ＮＯＴ論理素子
【図１】
2016005266.tif 000003
【図２】
2016005266.tif 000004
(57)【要約】【課題】  装置を装着するときに、装着できる箇所を限定せずある程度自由な箇所に装着できる構造を提供する。【解決手段】  所定の紐を通す紐通し穴および所定のベルトを通すベルト通し穴が形成された筐体を有し、前記紐通し穴に通した紐により自端末を首または肩から吊り下げて使用する使用方法、もしくは前記ベルト通し穴に通した所定のベルトにより自端末を身体に巻きつけて使用する使用方法のいずれの使用方法にも対応可能にする。【選択図】    図１
2016005070.tif 000002
【特許請求の範囲】
【請求項１】
身体または衣服に装着して使用するウェアラブルな携帯端末において、
所定の紐を通す紐通し穴および所定のベルトを通すベルト通し穴が形成された筐体を有し、
前記紐通し穴に通した紐により自端末を首または肩から吊り下げて使用する使用方法、
もしくは前記ベルト通し穴に通した所定のベルトにより自端末を身体に巻きつけて使用する使用方法
のいずれの使用方法にも対応可能なことを特徴とするウェアラブル筐体構造を有する携帯端末。
【発明の詳細な説明】
【技術分野】
【０００１】
本発明は、携帯端末、特にウェアラブル筐体構造を有する携帯端末に関する。
【背景技術】
【０００２】
従来の技術におけるウェアラブル機器を身体または衣服に装着する構造として、筺体に備える接続部に被装着側に装着するときに使用する支持部を取り付けて、身体または衣服に装着する構造がある（例えば、特許文献１）。
【０００３】
しかしながら、特許文献１においてウェアラブル機器の装着作業を行う際に、装着箇所として頭部に装着することのみを想定しているので、装着できる箇所が限定されてしまうという不便があった。
【先行技術文献】
【特許文献】
【０００４】
【特許文献１】特開２０１３−８８７２５号公報
【発明の概要】
【発明が解決しようとする課題】
【０００５】
本発明は、上記の問題を解決するために、ウェアラブル機器を装着するときに、装着できる箇所を限定せず、ある程度自由な箇所に装着できる構造を提供することにある。
【課題を解決するための手段】
【０００６】
上記の課題を解決するために、本発明は、身体または衣服に装着して使用するウェアラブルな携帯端末において、所定の紐を通す紐通し穴、および所定のベルトを通すベルト通し穴が形成された筐体を有し、前記紐通し穴に通した紐により自端末を首または肩から吊り下げて使用する使用方法、もしくは前記ベルト通し穴に通した所定のベルトにより自端末を身体に巻きつけて使用する使用方法のいずれの使用方法にも対応可能なことを特徴とする。
【発明の効果】
【０００７】
本発明によれば、装置を装着するときに、装着できる箇所を限定せず、ある程度自由な箇所に装着できる構造を提供できる。
【図面の簡単な説明】
【０００８】
【図１】本発明の実施の一形態に係る紐を取り付けた状態を示す斜視図
【図２】本発明の実施の一形態に係るベルトを取り付けた状態を示す斜視図
【図３】本発明の実施の一形態に係る紐通し穴とベルト通し穴を共用し紐を取り付けた状態を示す斜視図
【図４】本発明の実施の一形態に係る紐通し穴とベルト通し穴を共用しベルトを取り付けた状態を示す斜視図
【発明を実施するための形態】
【０００９】
以下に、図面を参照しながら、本発明の実施の一形態について説明する。
【００１０】
図１は、本発明の実施の一形態に係る紐を取り付けた状態の斜視図を示す。１は装置であり、装置１に有する紐通し穴１１に紐２１を取り付けた状態である。
【００１１】
紐２１を取り付けた状態の一例として、小型機器の場合は首から吊り下げて身体に装着することができる。また、機器の質量が大きい場合は肩から吊り下げて身体に装着することができるなど、装着できる箇所を限定せずある程度自由な箇所に装着できる。
また、紐２１の材質は限定されることなく、一例として、洗濯したい場合は繊維、装飾したい場合は貴金属など自由度があるものとする。
【００１２】
図２は、本発明の実施の一形態に係るベルトを取り付けた状態の斜視図を示す。装置１に有するベルト通し穴３１にベルト４１を取り付けた状態である。
【００１３】
ベルト４１は、一例として、小型機器の場合は腕に巻きつけて身体に装着することができる。また、機器の質量が大きい場合は腰に巻きつけて身体に装着することができるなど、装着できる箇所を限定せずある程度自由な箇所に装着できる。
また、ベルト４１の材質は限定されることなく、一例として、洗濯したい場合は繊維、装飾したい場合は貴金属など自由度があるものとする。
【００１４】
図３は、本発明の実施の一形態に係る紐通し穴とベルト通し穴を共用し紐を取り付けた状態の斜視図を示す。装置８１に有する紐・ベルト通し穴５１に紐６１を取り付けた状態である。本図では紐・ベルト通し穴５１を使用したが、紐・ベルト通し穴５２を使用し紐を取り付けても良い。
【００１５】
図４は、本発明の実施の一形態に係る紐通し穴とベルト通し穴を共用しベルトを取り付けた状態の斜視図を示す。装置８１に有する紐・ベルト通し穴５１と紐・ベルト通し穴５２にベルト７１を取り付けた状態である。
図３並びに図４のように紐通し穴とベルト通し穴を一つの構造に一体化することも可能であり、このような構造の場合は通し穴の数を少なくすることで意匠制約を少なくする効果がある。
【００１６】
以上の通り、装置を装着するときに、装着できる箇所を限定せず、ある程度自由な箇所に装着することが可能である。
【符号の説明】
【００１７】
１    装置
１１  紐通し穴
２１  紐
３１  ベルト通し穴
４１  ベルト
５１  紐・ベルト通し穴
５２  紐・ベルト通し穴
６１  紐
７１  ベルト
８１  装置
【図１】
2016005070.tif 000003
【図２】
2016005070.tif 000004
【図３】
2016005070.tif 000005
【図４】
2016005070.tif 000006
(57)【要約】【課題】屋外での傷口の洗浄消毒保護湿布を簡素化しコンパクト型を提供する。【解決手段】パッケージに入った救急絆創膏を1枚備え、レギュラーサイズの湿布を1枚備え、オキシドールの入ったタレビンと水入りタレビンの2本を備え、A9サイズのチャック袋を備え、前記の救急絆創膏と湿布とオキシドールの入ったタレビンと水入りタレビンをA9サイズのチャック袋に4種類を入れ、水で傷口を洗いオキシドールで消毒して救急絆創膏で保護するか打撲等には湿布を貼り鎮痛効果のある1セットにされているとパッケージに書かれてある、以上の如く特徴を持つコンパクト型洗浄消毒保護湿布セット。【選択図】なし【特許請求の範囲】
【請求項１】
（ィ）パッケージに入った救急絆創膏を1枚備え、
（ロ）レギュラーサイズの湿布を1枚備え、
（ハ）オキシドールの入った一本目のタレビンと水の入った二本目のタレビンを備え、（ニ）A9サイズのチャック袋を備え、
（ホ）前記の救急絆創膏と湿布とオキシドールの入ったタレビンと水の入ったタレビンの2本をA9サイズのチャック袋に4種類を入れ、
（へ）水の入ったタレビンの水圧等で傷口の汚れを洗い、オキシドールで消毒して救急絆創膏で保護するか打撲等には湿布を貼り鎮痛効果のある1セットにされていて余った水とオキシドールは次回も使用とパッケージに書かれてある、財布等におさまる、
以上の如く特徴を持つコンパクト型洗浄消毒保護湿布セット。
【発明の詳細な説明】
【技術分野】
【０００１】
本発明は、携帯オキシドール入りたれびんに救急絆創膏を巻いた即洗浄消毒保護セットに湿布効果と水入りタレビンよる水圧汚れ落とし効果を付加したものの改良簡素化品に関する。
【背景技術】
【０００２】
従来、外出先での傷口は汚れ洗いもなく、救急絆創膏で保護するだけに留まっていたし打撲への処置はなかったし肩こり腰痛時にも大きくて携帯出来ない湿布しかなかった。
【０００３】
【特許文献１】特許第3566557号
【特許文献２】特許第5457519号公報
【特許文献３】特許第5530008号
【特許文献４】特許第5687738号
【特許文献５】特開2015-096242
【発明の開示】
【発明が解決しようとする課題】
【０００４】
従来、外出先での傷口は汚れ洗いもなく、救急絆創膏で保護するだけに留まっていたし打撲への処置はなかったし急な肩こり腰痛時の携帯用のポケットに入るぐらいの湿布もなかった。   
【課題を解決するための手段】
【０００５】
救急絆創膏と湿布とオキシドール入りタレビンと水入りタレビンをA9サイズチャック袋に4種類を入れ1セットにした。
【発明の効果】
【０００６】
外出先の屋外での傷の洗浄消毒保護をさらにコンパクトにし、湿布効果も付加した財布等におさまり、かさばらず携帯出来得る。   
【発明を実施するための最良の形態】
【０００７】
パッケージに入った救急絆創膏を1枚備え、レギュラーサイズの湿布を1枚備え、
オキシドールの入ったタレビンと水入りタレビンの2本を備え、A9サイズのチャック袋を備え、前記の救急絆創膏と湿布とオキシドールの入ったタレビンと水入りタレビンをA9サイズのチャック袋に4種類を入れ、水で傷口を洗いオキシドールで消毒して救急絆創膏で保護するか打撲等には湿布を貼り鎮痛効果のある1セットにされていて余った水とオキシドールは次回も使用とパッケージに書かれてある、財布等におさまる、 以上の如く特徴を持つコンパクト型洗浄消毒保護湿布セット。
【実施例】
【０００８】
既製品の前発明のたれびんを水入りとオキシドール入りの2本にすることで多量に洗浄水として汚れを無くすことで傷口をよりきれいにし生産過程を2本のタレビンをA9サイズチャック袋入れという単純で早く当業者も作れるようにし、従来オキシドール部分のたれびんを水入りタレビンの追加に変更し無駄な大きさを省き、打撲、腰痛、肩こりへの処置は湿布効果で解決して上記の如く実施される。
【産業上の利用可能性】
【０００９】
この分野の発明は特許文献1と特許文献2と特許文献3と特許文献4と特開2015-096242の改良でより良く効率的になっており、生産過程という面でも良く、傷の水洗い等に使用でき、肩こり、腰痛、打撲への処置は湿布の湿布効果で従来品にはない効果で、よりコンパクトになっており携帯用としてはコンパクト型で財布等におさめ産業上の利用可能性は高いと解される。
(57)【要約】      （修正有）【課題】野菜を漬け込む際に、漬け頃加減を容易に確認することができ、糠や、みそなどに手をふれることが無く、野菜を漬け込むことができる用具の提供。【解決手段】野菜を漬け込む際に、野菜を入れる網の小袋を用意して、この中に野菜を入れ、上部にひも（３０センチ）を付けて容器から取り出しやすくした用具、前記ひもが色分けした用具、漬物の容器の上部に、アーチ状の器具を設置して、前記袋についた糠などを取り除くバンドを設置や漬け込んだ野菜の網の袋の先端のひもを固定する用具。【選択図】なし【特許請求の範囲】
【請求項１】
１  野菜を漬け込む際に、野菜を入れる網の小袋を用意して、この中に野菜を入れて、上部にひも（３０センチ）を付けて用器から取りやすくする用具。
２  上記袋を作成する場合い、袋の上部にひもを結び付けて色分けをしておく。これは、野菜の一部を取り出す時に、取りだそうとする野菜を区別するための用具、
【請求項２】
１  漬け込んだ野菜を取り出した際、袋についた糠などを取り落とすために、バンドを用意して、漬物用器に設置して、袋についた糠などが、自動的に容器に戻させるための用具
２  上記バンドを固定するために、取り出す漬物の容器の上部に、アーチ状の器具を設置して、袋についた糠などを取り除くバンドの設置や、漬け込んだ野菜の網の袋の先端のひもを固定するためのアーチ状の用具。
【発明の詳細な説明】
【技術分野】
【０００１】本発明は、野菜などの漬物用具に関するもの
【背景技術】
【０００２】従来野菜などの漬物を作る際は、例えば糠ずけや、みそずけなどをつくる場合い、漬けた野菜を取り出したりする際に、野菜に糠や、みそが付くためにこれを取り除かなければならない。また糠や、みそを、時々全体を、下から上に大きくかき混ぜる際にも、手や腕に糠や、みそがたくさんつくため、非常に面倒であり、全体的に敬遠されがちであります。
【発明の概要】
【発明が解決しようとする課題】
【０００３】  従来野采を漬ける際は、次の様なことが問題であった。
１  漬物用の容器などに、野菜を入れる際に、例えば、キュウリ、ニンジン、ナスなどは全て一緒に容器などに入れなければならなかった、
２  漬けた野菜を容器から取り出す際、取り出そうとする野菜が糠の中にあるため、容器の中全体を手でかき混ぜながら見つけ出さなければならなかった。
３  漬物の場合、漬けた野菜がすべて同じように、食べ頃になるのではなく、柔らかいものから、時間をおいて、順に出していかなければならないため、何回も容器の中に手お入れなければならなかった。
４  取り出した野菜には、ぬかやみそがたくさんついており、これを手で払い落とすことは容易でわなかった。
５  野菜が全て一緒に入っているため、そろそろ食べごろと思われる野菜を、取り出すことは、非常に面倒であり、ほとんどの人がこれを敬遠されがちであった。
６  このため必要と思われる野菜を、簡単に手を汚さず、取り出すことが必要であった。
７  野菜を取り出した際、野菜についた糠やみそを、手で取り除くことが無いようにすることが必要であった。
【課題を解決するための手段】
【０００４】  野菜を漬け物用の容器などに漬け込む際、次のような方法と手順で、野菜の漬け頃などを見わけして、更に糠や、みそなどに手をふれることが無く、処理できるものである。
１  野菜を容器などに入れる際は、一つの野菜ごとに、、袋の先端にひもを長く（３０センチ）結びつけておく。
２  上記の野菜の入った袋を、糠及び味噌などの中に袋が隠れる程度に、野菜を、漬け込む。
３  上記の野菜を漬け込む際、どの野菜がどの紐か色分けなどをして、区別が出きるようにしておく
４  漬け頃と思われる野菜を、その紐により、とりだして、漬け頃加減を確認することが出来る。その際は他の野菜に触れることはありません。
５  容器から取り出した、野菜の入った袋には、糠やみそがついているため、これを備え付けの糠取り払いバンド）にかけて容器の中に戻す。
６  上記の糠などを取り除いた袋は、野菜と一緒にボールなどに入れて、水で洗い流す。それを袋から取り出して完成です。
７  糠漬けや、みそ漬けは、野菜が入っていなくても、定期的に、全体を、上から下に、または下から上に拡販する必要があります。その際は、大きな木製の杓子の先端が反りあがった用具により全体を撹拌できるため、手や、腕につくことが無く作業が出来る。
【発明の効果】
【０００５】１  以上説明したように、本発明にかかる、漬物用器具を使うことにより、容器から取り出そうとする野菜が簡単に取り出せる。
２  野菜を漬け込むときに使用した、網の袋などについた糠などを、払い落し器具にかけて、糠を水で洗い落して完了します。
３  以上のような工程により、漬物を切って皿に盛るまで、すべて糠や、みそに触れることがありません。
４  糠や、みそなど容器に入った糠などを下から上に、または上から下に大きく拡販するときも、大きめのしゃもじにより、拡販するため、手や、腕を汚すことなく目的を達成できる。
【発明を実施するための最良の形態】
【０００６】  本発明は以上の様な構成であるので、図面を参考にしながら、その使い方を説明するものです。
１  図のように野菜を入れるための、紐付きの袋を用意する。
２  漬物用容器などに、糠、およびみそを、容器の７０パーセントくらいまで用意する。
３  漬け込んだ野菜を取り出す際、袋についた糠を取り払うため布のバンドなどを用意する。
４  糠よび、みその入った容器の中に入れて、拡販するための先の反りあがった杓子を用意する。
５  以上の用具を使って、次の手順で漬け込み、また漬け込んだ野菜を取り出すものです。
ア  野菜を網の小袋に入れて、袋の上部が少し隠れる程度に、糠及び、みそに差し込んで漬ける。その際袋の先端に結びつけた紐を長く残しておき、漬物容器に設置されているアーチに、どの野菜かわかるように色分けして結びつけておく。
イ  漬け込んだ野菜を取り出す際は、袋についた糠や、みそを、取り除くために、バンドにくぐらせてボールなどに取り出す、
ウ  上記の取り出した袋は水で洗いながら、袋から野菜を取り出して完了です。
【図面の簡単な説明】
【０００７】
【図１】  野菜を漬け込む際、ひもが付いた網の袋。
【図２】  漬け込むための野菜を網の袋に入れたもの。
【図３】  漬け込んだ野菜の入った袋についた糠などを取除く布製のバンド。
【図４】  漬け込み用の容器などに固定するアーチ。
【図５】  容器に野菜を漬け込み、袋のひもを、アーチに固定。
【図６】  漬け込む容器の上に固定したアーチに、容器から野菜を取り出して、糠や、みそを払い落としている状態。
【図７】  先端の反り上がった杓子
【図１】
2016005475.tif 000002
【図２】
2016005475.tif 000003
【図３】
2016005475.tif 000004
【図４】
2016005475.tif 000005
【図５】
2016005475.tif 000006
【図６】
2016005475.tif 000007
【図７】
2016005475.tif 000008
(57)【要約】【課題】タイヤ、スペアホイールの保管用の収納体は、タイヤだけを保護し、スプロケット、ブレーキは保護されない。スプロケットもむき出しで重いスペアホイール運搬にも不便で危険である。【解決手段】収納体に左右の区別をつけた脱着式クッション材２を貼付け、材質は、外気を遮断する素材を用い、運搬に便利なショルダーハンドル４付きを特徴とするスペアホイール収納体である。【選択図】図１
2016117533.tif 000002
【特許請求の範囲】
【請求項１】
収納体に左右の区別をつけた脱着式クッション材を貼付たことを特徴とするスペアホイールカバー。
【請求項２】
収納体の材質は、外気を遮断する素材を用いたことをを特徴とする請求項１記載のスペアホイール収納体。
【請求項３】
運搬に便利なショルダーハンドル付きを特徴とする請求項１記載のスペアホイール収納体。
【発明の詳細な説明】
【技術分野】
【０００１】  この発明は、オートバイレース用のスペアホイールを保護し、運搬するための収納体の形状に関する。
【背景技術】
【０００２】  従来のタイヤ等の保管のカバーの形状は、図２に示すように、タイヤ本体７の側面にそって１が設けられたものである。
【先行技術文献】
【特許文献】
【０００３】
【特許文献１】特開２０１２−２５４１２号公報
【非特許文献】
【０００４】
【発明の概要】
【発明が解決しようとする課題】
【０００５】  図３に示すようにオートバイレース用のスペアホイールにはタイヤ本体７、ホイール８、スプロケット９、ブレーキ１０から構成される。しかしながら、従来の技術によれば、タイヤだけを保護し、スプロケット、ブレーキは保護されず、運搬にも不便である。
そこで、この発明は、スプロケット、ブレーキを保護し、運搬しやすい収納体を提供することを課題とする。
【課題を解決するための手段】
【０００６】  以上の課題を解決するために、第一発明は、収納体に左右の区別をつけた脱着式クッション材を貼付たことを特徴とするスペアホイール収納体。
また、第二発明は、収納体の材質は、外気を遮断する素材を用いたことをを特徴とするスペアホイール収納体。
また、第三発明は、運搬に便利なショルダーハンドル付きを特徴とするスペアホイール収納体。
【発明の効果】
【０００７】  第一発明、または第二発明、または第三発明によれば、収納体に脱着式クッション材を貼付け左右の区別をつけたことでスプロケットの油分がブレーキに付着するのを防止する。保管時に外気を遮断することによりタイヤの劣化を防ぐ。ショルダーハンドルを用いたことで運搬も容易である。
【図面の簡単な説明】
【０００８】
【図１】この発明の一実施形態を示す斜視図である。
【図２】従来技術を示す斜視図である。
【図３】スペアホイールの構造を示す斜視図である。
【図４】この発明の一実施形態を示す断面図である。
【発明を実施するための形態】
【０００９】  この発明の一実施形態を、図１に示す。
スペアホイール収納体の本体１はナイロン製であり、この本体１の内面には、ナイロン製のクッション材２がマジックテープ５で着脱式に取り付けられる。本体１の外周はファスナー３にて開閉可能である。ショルダーハンドル４にて運搬も容易である。
【００１０】「実施形態の効果」
この発明の一実施形態を、図４に示す。  この実施形態によれば、クッション材２でスペアホイール５のスプロケット、ブレーキが保護される。左右の区別があるのでスプロケットの油分が、ブレーキに付着しない。
クッション材２をマジックテープで本体１に固定することにより、スペアホイールの大きさにより位置を変え適切な位置に固定できる。
「他の実施形態」
図１の本体材質は、ナイロン製あったが、外気を遮断できる素材でも良い。他の実施形態では、クッション材はスプロケット、ブレーキを保護できる形状のものであれば良い。収納体のサイズをスペアホイールのサイズに合わせたものならクッション材は着脱式でなくても良い。
【符号の説明】
【００１１】１  スペアホイール収納体本体            ２  クッション材
３  ファスナー                          ４  ショルダーハンドル
５  マジックテープ                      ６  スペアホイール
７  タイヤ                              ８  ホイール
９  スプロケット                        １０  ブレーキ
【図１】
2016117533.tif 000003
【図２】
2016117533.tif 000004
【図３】
2016117533.tif 000005
【図４】
2016117533.tif 000006
(57)【要約】      （修正有）【課題】新たなアクセサリー装着機会を生み出すと共に、使用者に個人のファッションセンスの新たな表現と選択の楽しみを与え、ファッション性の幅を広げる効果を生み出す、ショーツ、パンツ、水着等の衣料を提供する。【解決手段】股（クロッチ）部分にアクセサリーを装着するためのフック部を有するショーツ、パンツ、水着等の衣料。【選択図】図１
2016117962.tif 000002
【特許請求の範囲】
【請求項１】
股（クロッチ）部分に、アクセサリーを装着するためのフック部（図１Ａ ）を有するショーツ、パンツ、水着等の衣料。
【発明の詳細な説明】
【発明の概要】
【発明が解決しようとする課題】
【０００１】
股（クロッチ）部分にアクセサリーを装着するためのフック部（図１Ａ ）を有するショーツ、パンツ、水着等の衣料を提供する。
【発明の効果】
【０００２】
新たなアクセサリー装着機会を生み出すと共に、使用者に個人のファッションセンスの新たな表現と選択の楽しみを与え、ファッション性の幅を広げる効果を生み出す。
【図面の簡単な説明】
【０００３】
【図１】股（クロッチ）部分にフック部（Ａ）を有するショーツ、パンツ、水着等の衣料。
【図２】アクセサリーをＡに装着した状態。
【図１】
2016117962.tif 000003
【図２】
2016117962.tif 000004